(57)【要約】  キャリアアグリゲーションのための、ユーザ機器（ＵＥ）によってサポートされるキャリア帯域幅をシグナリングするための技法を開示する。ＵＥは、キャリアアグリゲーションのための複数のキャリアで構成され得る。各キャリアは、可能なキャリア帯域幅のセットのうちの１つのキャリア帯域幅を有し得る。可能なキャリア帯域幅のセットは、キャリアが属する帯域に依存し得る。複数のキャリアのためのキャリア帯域幅の複数の組合せが可能であり得る。ＵＥは、複数のキャリアのための、少なくとも１つのサポートされるキャリア帯域幅組合せを識別し得る。サポートされるキャリア帯域幅組合せの各々は、各構成されたキャリアのための特定のキャリア帯域幅を含み得る。ＵＥは、少なくとも１つのサポートされるキャリア帯域幅組合せを示すシグナリングを送り得る。ＵＥは、その後、サポートされる（１つまたは複数の）キャリア帯域幅組合せから選択されたキャリア帯域幅組合せに基づいて複数のキャリア上で通信し得る。
2015506136.tif 000002
【特許請求の範囲】
【請求項１】
キャリアアグリゲーションのための、ユーザ機器（ＵＥ）のために構成された複数のキャリアを識別することと、
前記複数のキャリアのための、前記ＵＥによってサポートされる少なくとも１つのキャリア帯域幅組合せを識別することであって、各キャリア帯域幅組合せが前記複数のキャリアの各々のための特定のキャリア帯域幅を含む、少なくとも１つのキャリア帯域幅組合せを識別することと、
前記複数のキャリアのための、前記ＵＥによってサポートされる前記少なくとも１つのキャリア帯域幅組合せを示すシグナリングを送ることと
を備える、ワイヤレス通信のための方法。
【請求項２】
前記複数のキャリアが少なくとも１つの帯域中にあり、各帯域が、前記帯域中のキャリアのための可能なキャリア帯域幅のセットに関連する、請求項１に記載の方法。
【請求項３】
複数の可能なキャリア帯域幅組合せが、前記少なくとも１つの帯域の各々のための可能なキャリア帯域幅の前記セットに基づいて判断され、前記ＵＥによってサポートされる前記少なくとも１つのキャリア帯域幅組合せが、前記複数の可能なキャリア帯域幅組合せのサブセットである、請求項２に記載の方法。
【請求項４】
前記ＵＥによってサポートされる前記少なくとも１つのキャリア帯域幅組合せが、前記少なくとも１つの帯域または前記複数のキャリアのためにあらかじめ定義された複数の利用可能なキャリア帯域幅組合せのサブセットである、請求項２に記載の方法。
【請求項５】
前記シグナリングが、前記少なくとも１つの帯域の各々のための、前記ＵＥによってサポートされる最大帯域幅を示す、請求項２に記載の方法。
【請求項６】
前記シグナリングが、前記複数のキャリアのための複数の利用可能なキャリア帯域幅組合せのための複数のビットのビットマップを備える、請求項１に記載の方法。
【請求項７】
前記ビットマップの各ビットが、前記複数のキャリアのための異なるキャリア帯域幅組合せに関連する、請求項６に記載の方法。
【請求項８】
前記ビットマップの各ビットが、前記複数のキャリアのための少なくとも１つのキャリア帯域幅組合せの異なるセットに関連する、請求項６に記載の方法。
【請求項９】
前記シグナリングが、前記複数のキャリアのための、前記ＵＥによってサポートされる前記少なくとも１つのキャリア帯域幅組合せの各々のインデックスを備える、請求項１に記載の方法。
【請求項１０】
キャリア帯域幅組合せの複数のセットが前記複数のキャリアのためにあらかじめ定義され、キャリア帯域幅組合せの前記複数のセットの各々が前記複数のキャリアのための少なくとも１つのキャリア帯域幅組合せを含み、前記シグナリングがキャリア帯域幅組合せの前記複数のセットのうちの少なくとも１つを示す、請求項１に記載の方法。
【請求項１１】
前記シグナリングが、前記複数のキャリアのための、前記ＵＥによってサポートされる総帯域幅を示す、請求項１に記載の方法。
【請求項１２】
前記少なくとも１つのキャリア帯域幅組合せの各々が、前記総帯域幅以下の、前記複数のキャリアのためのアグリゲート帯域幅に関連する、請求項１１に記載の方法。
【請求項１３】
前記シグナリングが、前記複数のキャリアの各々のための、前記ＵＥによってサポートされる最大帯域幅を示す、請求項１に記載の方法。
【請求項１４】
前記シグナリングが前記ＵＥのＵＥカテゴリーを備える、請求項１に記載の方法。
【請求項１５】
前記ＵＥによってサポートされる少なくとも１つの帯域を示す追加のシグナリングを送ることであって、前記複数のキャリアが前記少なくとも１つの帯域中にある、送ること
をさらに備える、請求項１に記載の方法。
【請求項１６】
前記複数のキャリアが、帯域間キャリアアグリゲーションでは少なくとも２つの帯域中にあるか、または帯域内キャリアアグリゲーションでは単一の帯域中にある、請求項１に記載の方法。
【請求項１７】
前記複数のキャリアのための、前記ＵＥによってサポートされる前記少なくとも１つのキャリア帯域幅組合せから選択されたキャリア帯域幅組合せを判断することと、
前記選択されたキャリア帯域幅組合せに基づいて前記複数のキャリア上で通信することと
をさらに備える、請求項１に記載の方法。
【請求項１８】
キャリアアグリゲーションのための、ユーザ機器（ＵＥ）のために構成された複数のキャリアを識別することと、
前記複数のキャリアのための、前記ＵＥによってサポートされる少なくとも１つのキャリア帯域幅組合せを識別することであって、各キャリア帯域幅組合せが前記複数のキャリアの各々のための特定のキャリア帯域幅を含む、少なくとも１つのキャリア帯域幅組合せを識別することと、
前記複数のキャリアのための、前記ＵＥによってサポートされる前記少なくとも１つのキャリア帯域幅組合せを示すシグナリングを送ることと
を行うように構成された少なくとも１つのプロセッサと、
前記少なくとも１つのプロセッサに結合されたメモリと
を備える、ワイヤレス通信のための装置。
【請求項１９】
前記少なくとも１つのプロセッサが、前記ＵＥによってサポートされる少なくとも１つの帯域を示す追加のシグナリングを送るように構成され、前記複数のキャリアが前記少なくとも１つの帯域中にある、請求項１８に記載の装置。
【請求項２０】
前記シグナリングが、前記複数のキャリアのための複数の利用可能なキャリア帯域幅組合せのための複数のビットのビットマップを備える、請求項１８に記載の装置。
【請求項２１】
前記ビットマップの各ビットが、前記複数のキャリアのための異なるキャリア帯域幅組合せに関連する、請求項２０に記載の装置。
【請求項２２】
前記少なくとも１つのプロセッサが、
前記複数のキャリアのための、前記ＵＥによってサポートされる前記少なくとも１つのキャリア帯域幅組合せから選択されたキャリア帯域幅組合せを判断することと、
前記選択されたキャリア帯域幅組合せに基づいて前記複数のキャリア上で通信することと
を行うように構成された、請求項１８に記載の装置。
【請求項２３】
キャリアアグリゲーションのための、ユーザ機器（ＵＥ）のために構成された複数のキャリアを識別するための手段と、
前記複数のキャリアのための、前記ＵＥによってサポートされる少なくとも１つのキャリア帯域幅組合せを識別するための手段であって、各キャリア帯域幅組合せが前記複数のキャリアの各々のための特定のキャリア帯域幅を含む、少なくとも１つのキャリア帯域幅組合せを識別するための手段と、
前記複数のキャリアのための、前記ＵＥによってサポートされる前記少なくとも１つのキャリア帯域幅組合せを示すシグナリングを送るための手段と
を備える、ワイヤレス通信のための装置。
【請求項２４】
前記シグナリングが、前記複数のキャリアのための複数の利用可能なキャリア帯域幅組合せのための複数のビットのビットマップを備える、請求項２３に記載の装置。
【請求項２５】
前記ビットマップの各ビットが、前記複数のキャリアのための異なるキャリア帯域幅組合せに関連する、請求項２４に記載の装置。
【請求項２６】
前記ＵＥによってサポートされる少なくとも１つの帯域を示す追加のシグナリングを送るための手段であって、前記複数のキャリアが前記少なくとも１つの帯域中にある、送るための手段
をさらに備える、請求項２３に記載の装置。
【請求項２７】
前記複数のキャリアのための、前記ＵＥによってサポートされる前記少なくとも１つのキャリア帯域幅組合せから選択されたキャリア帯域幅組合せを判断するための手段と、
前記選択されたキャリア帯域幅組合せに基づいて前記複数のキャリア上で通信するための手段と
をさらに備える、請求項２３に記載の装置。
【請求項２８】
キャリアアグリゲーションのための、ユーザ機器（ＵＥ）のために構成された複数のキャリアを識別することを少なくとも１つのプロセッサに行わせるためのコードと、
前記複数のキャリアのための、前記ＵＥによってサポートされる少なくとも１つのキャリア帯域幅組合せを識別することであって、各キャリア帯域幅組合せが前記複数のキャリアの各々のための特定のキャリア帯域幅を含む、少なくとも１つのキャリア帯域幅組合せを識別することを前記少なくとも１つのプロセッサに行わせるためのコードと、
前記複数のキャリアのための、前記ＵＥによってサポートされる前記少なくとも１つのキャリア帯域幅組合せを示すシグナリングを送ることを前記少なくとも１つのプロセッサに行わせるためのコードと
を備える非一時的コンピュータ可読媒体
を備える、コンピュータプログラム製品。
【請求項２９】
キャリアアグリゲーションのための、ユーザ機器（ＵＥ）のために構成された複数のキャリアを識別することと、
前記ＵＥから、前記複数のキャリアのための、前記ＵＥによってサポートされる少なくとも１つのキャリア帯域幅組合せを示すシグナリングを受信することであって、各キャリア帯域幅組合せが前記複数のキャリアの各々のための特定のキャリア帯域幅を含む、受信することと、
前記ＵＥによってサポートされる前記少なくとも１つのキャリア帯域幅組合せから選択されたキャリア帯域幅組合せに基づいて前記複数のキャリア上で前記ＵＥと通信することと
を備える、ワイヤレス通信のための方法。
【請求項３０】
前記シグナリングが、前記複数のキャリアのための複数の利用可能なキャリア帯域幅組合せのための複数のビットのビットマップを備える、請求項２９に記載の方法。
【請求項３１】
前記シグナリングが、前記複数のキャリアのための、前記ＵＥによってサポートされる前記少なくとも１つのキャリア帯域幅組合せの各々のインデックスを備える、請求項３０に記載の方法。
【請求項３２】
前記シグナリングが、前記複数のキャリアのためにあらかじめ定義されたキャリア帯域幅組合せの複数のセットのうちの１つを示し、キャリア帯域幅組合せの各セットが、前記複数のキャリアのための少なくとも１つのキャリア帯域幅組合せを含む、請求項２９に記載の方法。
【請求項３３】
前記シグナリングが、前記複数のキャリアのための、前記ＵＥによってサポートされる総帯域幅を示す、請求項２９に記載の方法。
【請求項３４】
前記シグナリングが、前記複数のキャリアの各々のための、または前記複数のキャリアを備える少なくとも１つの帯域の各々のための、前記ＵＥによってサポートされる最大帯域幅を示す、請求項２９に記載の方法。
【請求項３５】
前記ＵＥから、前記ＵＥによってサポートされる少なくとも１つの帯域を示す追加のシグナリングを受信することであって、前記複数のキャリアが前記少なくとも１つの帯域中にある、受信すること
をさらに備える、請求項２９に記載の方法。
【請求項３６】
キャリアアグリゲーションのための、ユーザ機器（ＵＥ）のために構成された複数のキャリアを識別することと、
前記ＵＥから、前記複数のキャリアのための、前記ＵＥによってサポートされる少なくとも１つのキャリア帯域幅組合せを示すシグナリングを受信することであって、各キャリア帯域幅組合せが前記複数のキャリアの各々のための特定のキャリア帯域幅を含む、受信することと、
前記ＵＥによってサポートされる前記少なくとも１つのキャリア帯域幅組合せから選択されたキャリア帯域幅組合せに基づいて前記複数のキャリア上で前記ＵＥと通信することと
を行うように構成された少なくとも１つのプロセッサと、
前記少なくとも１つのプロセッサに結合されたメモリと
を備える、ワイヤレス通信のための装置。
【請求項３７】
前記シグナリングが、前記複数のキャリアのための複数の利用可能なキャリア帯域幅組合せのための複数のビットのビットマップを備える、請求項３６に記載の装置。
【請求項３８】
前記ビットマップの各ビットが、前記複数のキャリアのための異なるキャリア帯域幅組合せに関連する、請求項３７に記載の装置。
【請求項３９】
前記少なくとも１つのプロセッサが、前記ＵＥから、前記ＵＥによってサポートされる少なくとも１つの帯域を示す追加のシグナリングを受信するように構成され、前記複数のキャリアが前記少なくとも１つの帯域中にある、請求項３６に記載の装置。
【請求項４０】
キャリアアグリゲーションのための、ユーザ機器（ＵＥ）のために構成された複数のキャリアを識別するための手段と、
前記ＵＥから、前記複数のキャリアのための、前記ＵＥによってサポートされる少なくとも１つのキャリア帯域幅組合せを示すシグナリングを受信するための手段であって、各キャリア帯域幅組合せが前記複数のキャリアの各々のための特定のキャリア帯域幅を含む、受信するための手段と、
前記ＵＥによってサポートされる前記少なくとも１つのキャリア帯域幅組合せから選択されたキャリア帯域幅組合せに基づいて前記複数のキャリア上で前記ＵＥと通信するための手段と
を備える、ワイヤレス通信のための装置。
【請求項４１】
前記ＵＥから、前記ＵＥによってサポートされる少なくとも１つの帯域を示す追加のシグナリングを受信するための手段であって、前記複数のキャリアが前記少なくとも１つの帯域中にある、受信するための手段
をさらに備える、請求項４０に記載の装置。
【請求項４２】
前記シグナリングが、前記複数のキャリアのための複数の利用可能なキャリア帯域幅組合せのための複数のビットのビットマップを備える、請求項４０に記載の装置。
【請求項４３】
前記ビットマップの各ビットが、前記複数のキャリアのための異なるキャリア帯域幅組合せに関連する、請求項４２に記載の装置。
【請求項４４】
キャリアアグリゲーションのための、ユーザ機器（ＵＥ）のために構成された複数のキャリアを識別することを少なくとも１つのプロセッサに行わせるためのコードと、
前記ＵＥから、前記複数のキャリアのための、前記ＵＥによってサポートされる少なくとも１つのキャリア帯域幅組合せを示すシグナリングを受信することであって、各キャリア帯域幅組合せが前記複数のキャリアの各々のための特定のキャリア帯域幅を含む、受信することを前記少なくとも１つのプロセッサに行わせるためのコードと、
前記ＵＥによってサポートされる前記少なくとも１つのキャリア帯域幅組合せから選択されたキャリア帯域幅組合せに基づいて前記複数のキャリア上で前記ＵＥと通信することを前記少なくとも１つのプロセッサに行わせるためのコードと
を備える非一時的コンピュータ可読媒体
を備える、コンピュータプログラム製品。
【発明の詳細な説明】
【技術分野】
【０００１】
[0001]  本出願は、その全体が参照により本明細書に組み込まれる、２０１１年１２月１日に出願された「SIGNALING OF SUPPORTED CARRIER BANDWIDTHS FOR CARRIER AGGREGATION」と題する米国仮出願第６１／５６５，９７８号の優先権を主張する。
【０００２】
[0002]  本開示は、一般に通信に関し、より詳細には、ワイヤレス通信ネットワークにおいて通信をサポートするための技法に関する。
【背景技術】
【０００３】
[0003]  ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]  ワイヤレス通信ネットワークは、いくつかのユーザ機器（ＵＥ：user equipment）との通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]  ワイヤレス通信ネットワークは、複数のキャリア上での動作をサポートし得る。キャリアは、通信のために使用される周波数レンジを指し得、いくつかの特性に関連し得る。たとえば、キャリアは、キャリア上での動作を記述するシステムおよび／または制御情報に関連し得る。キャリアは、コンポーネントキャリア（ＣＣ）、セル、周波数チャネルなどと呼ばれることもある。
【発明の概要】
【０００６】
[0006]  キャリアアグリゲーション（carrier aggregation）のための、ＵＥによってサポートされるキャリア帯域幅をシグナリングするための技法を本明細書で開示する。ＵＥは、キャリアアグリゲーションのための複数のキャリアで構成され得る。各キャリアは、可能なキャリア帯域幅のセットのうちの１つを有し得る。各キャリアのための可能なキャリア帯域幅のセットは、キャリアが属する周波数帯域に依存し得る。複数のキャリアのためのキャリア帯域幅の多くの可能な組合せがあり得る。
【０００７】
[0007]  一態様では、ＵＥは、ＵＥのために構成された複数のキャリアのための、ＵＥによってサポートされる少なくとも１つのキャリア帯域幅組合せをシグナリングするか、または送り得る。サポートされる（１つまたは複数の）キャリア帯域幅組合せは、複数のキャリアのためのすべての可能なキャリア帯域幅組合せのサブセットを含み得る。サポートされる（１つまたは複数の）キャリア帯域幅組合せをシグナリングすることはＵＥのテストおよび動作を簡略化し得る。
【０００８】
[0008]  別の態様では、ＵＥは、キャリアアグリゲーションのための、ＵＥのために構成された複数のキャリアを識別し得る。ＵＥは、複数のキャリアのための、ＵＥによってサポートされる少なくとも１つのキャリア帯域幅組合せを識別し得る。各キャリア帯域幅組合せは複数のキャリアの各々のための特定のキャリア帯域幅を含み得る。ＵＥは、複数のキャリアのための、ＵＥによってサポートされる少なくとも１つのキャリア帯域幅組合せを示すシグナリングを送り得る。ＵＥは、その後、ＵＥによってサポートされる少なくとも１つのキャリア帯域幅組合せから選択されたキャリア帯域幅組合せに基づいて複数のキャリア上で通信し得る。
【０００９】
[0009]  本開示の様々な態様および特徴について以下でさらに詳細に説明する。
【図面の簡単な説明】
【００１０】
【図１】[0010]  ワイヤレス通信ネットワークを示す図。
【図２】[0011]  キャリアアグリゲーションの一例を示す図。
【図３】[0012]  ビットマップを使用した、サポートされる（１つまたは複数の）キャリア帯域幅組合せのシグナリングを示す図。
【図４】インデックスを使用した、サポートされる（１つまたは複数の）キャリア帯域幅組合せのシグナリングを示す図。
【図５】[0013]  ＵＥによってサポートされる少なくとも１つのキャリア帯域幅組合せをシグナリングするためのプロセスを示す図。
【図６】[0014]  ＵＥによってサポートされる少なくとも１つのキャリア帯域幅組合せのシグナリングを受信するためのプロセスを示す図。
【図７】[0015]  本開示による、基地局およびＵＥの設計を示すブロック図。
【図８】[0016]  本開示による、基地局およびＵＥの別の設計を示すブロック図。
【発明を実施するための形態】
【００１１】
[0017]  本明細書で説明する技法は、ＣＤＭＡ、ＴＤＭＡ、ＦＤＭＡ、ＯＦＤＭＡ、ＳＣ−ＦＤＭＡおよび他のワイヤレスネットワークなど、様々なワイヤレス通信ネットワークに使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００（登録商標）などの無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標）およびＷｉ−Ｆｉ  Ｄｉｒｅｃｔ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。周波数分割複信（ＦＤＤ）と時分割複信（ＴＤＤ）の両方における３ＧＰＰロングタームエボリューション（ＬＴＥ：Long Term Evolution）およびＬＴＥアドバンスト（ＬＴＥ−Ａ：LTE-Advanced）は、ダウンリンク上ではＯＦＤＭＡを利用し、アップリンク上ではＳＣ−ＦＤＭＡを利用するＥ−ＵＴＲＡを使用するＵＭＴＳの最近のリリースである。ＵＴＲＡ、Ｅ−ＵＴＲＡ、ＧＳＭ、ＵＭＴＳ、ＬＴＥおよびＬＴＥ−Ａは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分においてＬＴＥ用語を使用する。
【００１２】
[0018]  図１に、ＬＴＥネットワークまたは何らかの他のワイヤレスネットワークであり得る、ワイヤレス通信ネットワーク１００を示す。ワイヤレスネットワーク１００は、いくつかの発展型ノードＢ（ｅＮＢ）１１０と他のネットワークエンティティとを含み得る。ｅＮＢは、ＵＥと通信する局であり得、基地局、ノードＢ、アクセスポイント、ノードなどと呼ばれることもある。各ｅＮＢ１１０は、特定の地理的エリアに通信カバレージを与え得、カバレージエリア内に位置するＵＥのための通信をサポートし得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。ｅＮＢは、１つまたは複数の（たとえば、３つの）セルをサポートし得る。
【００１３】
[0019]  ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ）による制限付きアクセスを可能にし得る。図１に示す例では、ｅＮＢ１１０ａ、１１０ｂ、および１１０ｃは、それぞれマクロセル１０２ａ、１０２ｂ、および１０２ｃのためのマクロｅＮＢであり得る。ｅＮＢ１１０ｄは、ピコセル１０２ｄのためのピコｅＮＢであり得る。ｅＮＢ１１０ｅおよび１１０ｆは、それぞれフェムトセル１０２ｅおよび１０２ｆのためのフェムトｅＮＢであり得る。
【００１４】
[0020]  ワイヤレスネットワーク１００はまた、リレーを含み得る。図１に示す例では、リレー１１０ｒは、ｅＮＢ１１０ａとＵＥ１２０ｒとの間の通信を可能にするために、ｅＮＢ１１０ａおよびＵＥ１２０ｒと通信し得る。
【００１５】
[0021]  ネットワークコントローラ１３０は、ｅＮＢのセットに結合し、これらのｅＮＢの協調および制御を行い得る。ネットワークコントローラ１３０はバックホール（backhaul）を介してｅＮＢと通信し得る。ｅＮＢはまた、たとえば、ワイヤレスバックホールまたはワイヤラインバックホールを介して直接または間接的に互いに通信し得る。
【００１６】
[0022]  ＵＥ１２０はワイヤレスネットワーク１００全体にわたって分散され得、各ＵＥは固定または移動であり得る。ＵＥは、端末、移動局、加入者ユニット、局などと呼ばれることもある。ＵＥは、セルラー電話、スマートフォン、タブレット、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、ネットブック、スマートブックなどであり得る。ＵＥは、マクロｅＮＢ、ピコｅＮＢ、フェムトｅＮＢ、リレーなどと通信することが可能であり得る。
【００１７】
[0023]  ワイヤレスネットワーク１００は、キャリアアグリゲーション（ＣＡ：carrier aggregation）またはマルチキャリア動作と呼ばれることがある、複数のキャリア上での動作をサポートし得る。キャリアは、コンポーネントキャリア（ＣＣ：component carrier）、セル、周波数チャネルなどと呼ばれることもある。「キャリア」、「ＣＣ」、および「セル」という用語は、本明細書では互換的に使用される。ダウンリンクのために使用されるキャリアはダウンリンクキャリアと呼ばれることがあり、アップリンクのために使用されるキャリアはアップリンクキャリアと呼ばれることがある。ＵＥは、キャリアアグリゲーションのための、複数のダウンリンクキャリアと１つまたは複数のアップリンクキャリアとで構成され得る。ｅＮＢは、１つまたは複数のダウンリンクキャリア上でデータおよび／または制御情報をＵＥに送信し得る。ＵＥは、１つまたは複数のアップリンクキャリア上でデータおよび／または制御情報をｅＮＢに送信し得る。
【００１８】
[0024]  図２に、キャリアアグリゲーションの一例を示す。この例では、Ｋ個のキャリアが、ＵＥのために構成され得、キャリアＣ１、Ｃ２、．．．、ＣＫと呼ばれることがあり、Ｋは任意の整数値であり得る。それらのキャリアは、連続キャリアアグリゲーション（図２に図示せず）では周波数が互いに隣接し得る。代替として、それらのキャリアは、図２に示すように、不連続キャリアアグリゲーションでは周波数が互いに分離され得る。いずれの場合も、各キャリアは、特定のキャリア帯域幅（ＢＷ）と特定の中心周波数とに関連し得る。Ｋ個のキャリアは、異なる中心周波数を有し、同じまたは異なるキャリア帯域幅を有し得る。
【００１９】
[0025]  ワイヤレスネットワーク１００は、１つまたは複数の周波数帯域上でのワイヤレス通信をサポートし得る。周波数帯域は、様々な連続周波数スペクトルを指すことがあり、帯域と呼ばれることもある。ワイヤレスネットワークがＬＴＥにおいて動作し得る帯域のリストが、公開されている３ＧＰＰ  ＴＳ３６．１０１において与えられている。
【００２０】
[0026]  ＬＴＥは、所与のキャリアのための、１．４、３、５、１０、１５および２０メガヘルツ（ＭＨｚ）の６つの可能な帯域幅をサポートする。キャリアの帯域幅はキャリア帯域幅またはチャネル帯域幅と呼ばれることもある。ＬＴＥはまた、各帯域のためのキャリア帯域幅のセットをサポートする。各帯域のための、サポートされるキャリア帯域幅のセットは、６つの可能なキャリア帯域幅の一部または全部を含み得る。
【００２１】
[0027]  表１は、ＬＴＥリリース１１によってサポートされ、３ＧＰＰ  ＴＳ３６．１０１に記載されている帯域のセットを記載している。表１はまた、各帯域のための、ＬＴＥリリース１１によってサポートされるキャリア帯域幅のセットを記載している。この情報は例示的であり、本開示は特定の帯域またはキャリア帯域幅に限定されないことを諒解されよう。ＬＴＥの後のリリースは、追加の帯域および／または追加のキャリア帯域幅をサポートし得る。
【表１】
2015506136.tif 000003
【００２２】
[0028]  ＵＥは、１つまたは複数の帯域中の複数（Ｋ個）のキャリア上での動作のために構成され得る。構成されたキャリアはＣＡ組合せと呼ばれることがある。ＵＥは、ＣＡ組合せでは各キャリアのための１つまたは複数のキャリア帯域幅をサポートし得る。各キャリアのために最高６つのキャリア帯域幅が可能であるので、Ｋ個のキャリアのためのキャリア帯域幅の最高６K個の可能な組合せがあり得る。たとえば、ＵＥは、帯域間ＣＡでは２つの帯域中の２つのキャリア上での動作のために構成され得、その２つの帯域のためにキャリア帯域幅の最高３６個の組合せが可能であり得る。キャリア帯域幅のこれらの例示的な組合せは、１．４＋１．４、１．４＋３、１．４＋５、１．４＋１０、１．４＋１５、１．４＋２０、３＋１．４、３＋３などを含み得、ＢＷ１＋ＢＷ２は、あるキャリアのためのＢＷ１のキャリア帯域幅と他のキャリアのためのＢＷ２のキャリア帯域幅とを示す。
【００２３】
[0029]  ＵＥのために構成されたＫ個のキャリアのために、キャリア帯域幅の多数の組合せ（またはキャリア帯域幅組合せ）が可能であり得る。漸進的により多くのキャリアがＵＥによってサポートされるにつれて、可能なキャリア帯域幅組合せの数は急速に増加する。Ｋ個の構成されたキャリアのための多数の可能なキャリア帯域幅組合せは実装負担およびテスト負担をもたらし得る。たとえば、ＵＥは、Ｋ個のキャリア上での動作をサポートするように設計され得、ＵＥがＫ個のキャリアのためのキャリア帯域幅の各可能な組合せ上で適切に動作することができることを保証するためにテストされ得る。その場合、Ｋ個のキャリアのためのすべての可能なキャリア帯域幅組合せ上でのＵＥの適切な動作を保証するために広範なテストが必要とされ得る。
【００２４】
[0030]  特にいくつかのキャリア帯域幅組合せが、たとえば、現実世界展開問題（real-world deployment considerations）のために、ほとんどまたはまったく商業的利益がないことがあるとき、実装負担およびテスト負担は望ましくないことがある。たとえば、ワイヤレスネットワークが様々な理由で初期段階において１０ＭＨｚキャリア帯域幅を用いて展開され得るので、Ｋ個のキャリアのための最大キャリア帯域幅の組合せ（たとえば、各キャリアのための２０ＭＨｚキャリア帯域幅との組合せ）は、近い将来に最大の商業的利益を提供し得ない。
【００２５】
[0031]  すべての可能なキャリア帯域幅組合せのうち、１つのサブセットのみが商業的利益があり得、サブセットは、ＵＥのために構成されたキャリアの特定のセット（またはＣＡ組合せ）に依存し得る。たとえば、ＵＥは、２つのキャリア、すなわち、帯域Ａ中の１つのキャリアと、帯域Ｂ中の別の１つのキャリアとで構成され得る。帯域Ａは最高２０ＭＨｚキャリア帯域幅をサポートし得、帯域Ｂは最高１０ＭＨｚキャリア帯域幅をサポートし得る。この例では、最大の商業的利益のキャリア帯域幅組合せは、５＋１０、１０＋１０、１０＋５ＭＨｚなどを含み得る。
【００２６】
[0032]  多数のキャリア帯域幅組合せが可能であり得るが、これらのキャリア帯域幅組合せの１つのサブセットのみが商業的利益があり得るので、実装負担およびテスト負担を低減するために、ＣＡ機能がいくつかのキャリア帯域幅組合せのみのために展開およびテストされ得る。しかしながら、いくつかのキャリア帯域幅組合せのみを展開およびテストすることは、新しいキャリア帯域幅が可能になった場合、後で厳しい干渉問題（たとえば、干渉オーバーサーマル（ＩｏＴ：interference-over-thermal）問題）を生じることがある。
【００２７】
[0033]  本開示の一態様では、ＵＥは、複数のキャリアのための、ＵＥによってサポートされる少なくとも１つのキャリア帯域幅組合せをシグナリングするか、または送り得る。サポートされる（１つまたは複数の）キャリア帯域幅組合せは、複数のキャリアのための可能なキャリア帯域幅組合せのすべてまたはサブセットを含み得る。サポートされる（１つまたは複数の）キャリア帯域幅組合せをシグナリングすることは、ＵＥのテストおよび動作を簡略化し得、他の利点をも与え得る。
【００２８】
[0034]  ＵＥは、様々な方法で、ＵＥによってサポートされる（１つまたは複数の）キャリア帯域幅組合せをシグナリングし得る。サポートされる（１つまたは複数の）キャリア帯域幅組合せをシグナリングするいくつかの例示的な設計について以下で説明する。
【００２９】
[0035]  第１の設計では、ＵＥは、Ｋ個のキャリアのための、ＵＥによってサポートされる特定のキャリア帯域幅組合せをシグナリングし得、Ｋは任意の整数値であり得る。たとえば、キャリアＣ１のためにＮ1個のキャリア帯域幅が可能であり得、キャリアＣ２のためにＮ2個のキャリア帯域幅が可能であり得、以下同様にして、キャリアＣＫのためにＮK個のキャリア帯域幅が可能であり得る。この場合、
【数１】
2015506136.tif 000004
【００３０】
として表され得る、Ｋ個のキャリアのためのキャリア帯域幅のＮtotal個の可能な置換があるであろう。上式で、Ｎkは、キャリアｋのための可能なキャリア帯域幅の数である。
【００３１】
[0036]  ＵＥは、Ｋ個のキャリアのためのＮtotal個の可能なキャリア帯域幅組合せのうち、ＵＥによってサポートされる特定のキャリア帯域幅組合せをシグナリングし得る。たとえば、ＵＥは、帯域Ｘ上での１つのキャリアと帯域Ｙ上での１つのキャリアとをサポートし得、その２つのキャリアのためのキャリア帯域幅の３６個の可能な置換のうち、５＋５、５＋１０、１０＋５、および１０＋１０ＭＨｚの４つのキャリア帯域幅組合せをサポートし得る。ＵＥは、次いで、５＋５、５＋１０、１０＋５、および１０＋１０ＭＨｚの４つのキャリア帯域幅組合せのサポートを示すためにシグナリングを送り得る。
【００３２】
[0037]  第２の設計では、キャリアのセットのための利用可能なキャリア帯域幅組合せがあらかじめ定義され得る。たとえば、Ｋ個のキャリアのためのキャリア帯域幅の
【数２】
2015506136.tif 000005
【００３３】
個の可能な置換のすべてまたはサブセットであり得る、Ｋ個のキャリアのためのすべての利用可能なキャリア帯域幅組合せを含むようにテーブルが定義され得る。ＵＥは、テーブル中のＫ個のキャリアのための利用可能なキャリア帯域幅組合せのうち、ＵＥによってサポートされる特定のキャリア帯域幅組合せをシグナリングし得る。
【００３４】
[0038]  第３の設計では、Ｋ個のキャリアのためのキャリア帯域幅組合せの異なる利用可能なセットがあらかじめ定義され得る。各セットは、Ｋ個のキャリアのための少なくとも１つのキャリア帯域幅組合せを含み得る。キャリア帯域幅組合せの利用可能なセットは、Ｋ個のキャリアのためのすべての可能なキャリア帯域幅組合せの異なるサブセットに対応し得る。ＵＥは、Ｋ個のキャリアのための（１つまたは複数の）キャリア帯域幅組合せのすべての利用可能なセットのうち、ＵＥによってサポートされる（１つまたは複数の）キャリア帯域幅組合せの少なくとも１つのセットをシグナリングし得る。
【００３５】
[0039]  Ｋ個のキャリアのための、ＵＥによってサポートされる（１つまたは複数の）キャリア帯域幅組合せを搬送するために、シグナリングの様々な形態が使用され得る。サポートされる（１つまたは複数の）キャリア帯域幅組合せを搬送するためのシグナリングのいくつかの例示的な設計について以下で説明する。
【００３６】
[0040]  図３に、ビットマップを使用した、ＵＥによってサポートされる（１つまたは複数の）キャリア帯域幅組合せをシグナリングするための例示的な設計を示す。この設計では、Ｎ個のビットのビットマップが定義され得、Ｎは任意の値であり得る。たとえば、Ｎは、すべての可能なキャリア帯域幅組合せが利用可能である場合、式（１）で与えられるＮtotalに等しいことがある。Ｎは、また、たとえば、上記で説明した第２および第３の設計の場合、Ｎtotalよりも小さいことがある。
【００３７】
[0041]  ビットマップの各ビットは特定のキャリア帯域幅組合せに関連し得る。ＵＥは、それのサポートされるキャリア帯域幅組合せの各々に対応するビットを設定し得る。たとえば、ＵＥは、帯域１中の１つのキャリアと帯域２中の１つのキャリアとをサポートし得る。表１から、帯域１中のキャリアのために４つの可能なキャリア帯域幅がサポートされ、帯域５中のキャリアのために４つの可能なキャリア帯域幅がサポートされる。したがって、帯域１中の１つのキャリアおよび帯域５中の１つのキャリアのための１６個の可能なキャリア帯域幅組合せがある。１６個の可能なキャリア帯域幅組合せのために、１６ビットをもつビットマップが定義され得る。ＵＥは、各サポートされるキャリア帯域幅組合せのためのビットマップ中の対応するビットを設定することによって、２つのキャリアのための、ＵＥによってサポートされる各キャリア帯域幅組合せをシグナリングし得る。
【００３８】
[0042]  代替または追加として、ビットマップの各ビットは、（異なるキャリア帯域幅組合せの代わりに）少なくとも１つのキャリア帯域幅組合せの異なるセットに関連し得る。少なくとも１つのキャリア帯域幅組合せの複数のセットが定義され得る。その場合、ビットマップは、（１つまたは複数の）キャリア帯域幅組合せの複数のセットのための複数のビット、（１つまたは複数の）キャリア帯域幅組合せの各セットのための１つのビットを含み得る。ＵＥは、ビットマップ中の対応するビットを設定することによって、ＵＥによってサポートされる（１つまたは複数の）キャリア帯域幅組合せの各セットをシグナリングし得る。
【００３９】
[0043]  図４に、インデックスを使用した、ＵＥによってサポートされる（１つまたは複数の）キャリア帯域幅組合せをシグナリングする設計を示す。この設計では、各可能な（または利用可能な）キャリア帯域幅組合せが一意のインデックスに関連し得る。ＵＥは、ＵＥによってサポートされる各キャリア帯域幅組合せのインデックスをシグナリングし得る。帯域１中の１つのキャリアと帯域５中の１つのキャリアとを用いて上記で説明した例では、その２つのキャリアのための１６個の可能なキャリア帯域幅組合せの各々が、異なる４ビットインデックスを割り当てられ得る。ＵＥは、次いで、ＵＥによってサポートされる各キャリア帯域幅組合せの４ビットインデックスをシグナリングし得る。
【００４０】
[0044]  別の設計では、少なくとも１つのキャリア帯域幅組合せの各可能な（または利用可能な）セットが一意のインデックスに関連し得る。ＵＥは、次いで、ＵＥによってサポートされる少なくとも１つのキャリア帯域幅組合せの各セットのインデックスをシグナリングし得る。
【００４１】
[0045]  また別の設計では、ＵＥは、Ｋ個のキャリアのための、ＵＥによってサポートされる総帯域幅をシグナリングし得る。その場合、ＵＥによってサポートされるキャリア帯域幅組合せは、ＵＥによってサポートされる総帯域幅以下のアグリゲート帯域幅（aggregate bandwidth）をもつすべてのキャリア帯域幅組合せを含み得る。たとえば、ＵＥは、それが２つのキャリアのための２０ＭＨｚの総帯域幅をサポートすることをシグナリングし得る。その場合、ＵＥによってサポートされるキャリア帯域幅組合せは、１０＋１０、１５＋５、５＋１５、１０＋５、５＋１０、５＋５ＭＨｚなどを含み得る。
【００４２】
[0046]  １つの設計では、可能な総帯域幅のセットが利用可能であり得る。たとえば、そのセットは、２０ＭＨｚ、２５ＭＨｚ、３０ＭＨｚ、４０ＭＨｚなどを含み得る。各可能な総帯域幅は一意のインデックスを割り当てられ得る。ＵＥは、次いで、Ｋ個のキャリアのための、ＵＥによってサポートされる総帯域幅のインデックスを送り得る。総帯域幅は他の方法でも搬送され得る。
【００４３】
[0047]  また別の設計では、ＵＥは、各帯域または各キャリアのための、ＵＥによってサポートされる最大帯域幅をシグナリングし得る。その場合、ＵＥによってサポートされるキャリア帯域幅組合せは、ＵＥの帯域ごとのまたはキャリアごとの帯域幅限界を満たすすべてのキャリア帯域幅組合せを含み得る。たとえば、ＵＥは、それが２つのキャリアの各々のための１０ＭＨｚのキャリア帯域幅をサポートすることをシグナリングし得る。その場合、ＵＥによってサポートされるキャリア帯域幅組合せは、１０＋１０、１０＋５、５＋１０、５＋５などを含み得る。
【００４４】
[0048]  また別の設計では、ＵＥは、それのＵＥカテゴリーに基づいて、Ｋ個のキャリアのための、ＵＥによってサポートされるキャリア帯域幅組合せをシグナリングし得る。いくつかのＵＥカテゴリーはワイヤレスネットワークによってサポートされ得る。各ＵＥカテゴリーは、Ｋ個のキャリアのためのキャリア帯域幅組合せの異なるセットに関連し得る。漸進的により高いＵＥカテゴリーは、より大きい能力、したがってより多くのキャリア帯域幅組合せに関連し得る。
【００４５】
[0049]  ＵＥは１つまたは複数のＣＡ帯域組合せをサポートし得る。各ＣＡ帯域組合せは、ＵＥによってサポートされる帯域の異なるセットに対応し得る。ＵＥは、ＵＥによってサポートされる各ＣＡ帯域組合せのためのキャリア帯域幅組合せのセットをサポートし得る。各ＣＡ帯域組合せのための、サポートされるキャリア帯域幅組合せは、ＣＡ帯域組合せにおける特定の帯域に依存し得る。ＵＥは、異なるＣＡ帯域組合せのためのキャリア帯域幅組合せの異なるセットをサポートし得る。ＵＥは、ＵＥによってサポートされる各ＣＡ帯域組合せのための、ＵＥによってサポートされるキャリア帯域幅組合せを示すためにシグナリングを送り得る。各ＣＡ帯域組合せのための、サポートされるキャリア帯域幅組合せのためのシグナリングは、たとえば、ビットマップ、サポートされるキャリア帯域幅組合せのインデックスのセット、すべてのキャリアのための総帯域幅、各ＣＡ帯域組合せ、帯域、および／またはキャリアのための最大帯域幅など、上記で説明した情報のいずれかを備え得る。
【００４６】
[0050]  サポートされるＣＡ帯域組合せおよび／またはサポートされるキャリア帯域幅組合せを搬送するシグナリングは、無線リソース制御（ＲＲＣ：Radio Resource Control）または何らかの他のレイヤを介して送られ得る。シグナリングは、呼設定段階中に、ＲＲＣ再構成中に、および／または他の時間に送られ得る。
【００４７】
[0051]  図５に、本開示による、キャリア帯域幅組合せをシグナリングするための例示的なプロセス５００を示す。プロセス５００は、（以下で説明するように）ＵＥによって、または何らかの他のエンティティによって実行され得る。ＵＥは、キャリアアグリゲーションのための、ＵＥのために構成された複数のキャリアを識別する（ブロック５１２）。ＵＥは、複数のキャリアのための、ＵＥによってサポートされる少なくとも１つのキャリア帯域幅組合せを識別する（ブロック５１４）。各キャリア帯域幅組合せは複数のキャリアの各々のための特定のキャリア帯域幅を含み得る。ＵＥは、複数のキャリアのための、ＵＥによってサポートされる少なくとも１つのキャリア帯域幅組合せを示すシグナリングを送る（ブロック５１６）。ＵＥは、複数のキャリアのための、ＵＥによってサポートされる少なくとも１つのキャリア帯域幅組合せから選択されたキャリア帯域幅組合せを判断する（ブロック５１８）。ＵＥは、選択されたキャリア帯域幅組合せに基づいて複数のキャリア上で通信する（ブロック５２０）。
【００４８】
[0052]  １つの態様では、ＵＥは、ＵＥによってサポートされる少なくとも１つの帯域を示す追加のシグナリングを送り得る。複数のキャリアは少なくとも１つの帯域中にあり得る。各帯域は、たとえば、表１に示したように、帯域中のキャリアのための可能なキャリア帯域幅のセットに関連し得る。代替として、複数のキャリアの各々は、キャリア上でサポートされるキャリア帯域幅のセットに関連し得る。
【００４９】
[0053]  別の態様では、キャリアが属する帯域に依存し得る、ＵＥのために構成された各キャリアのための可能なキャリア帯域幅のセットに基づいて、複数の可能なキャリア帯域幅組合せが判断され得る。複数の可能なキャリア帯域幅組合せは、キャリア帯域幅のすべての可能な置換を含み得、式（１）に示したように判断され得る。ＵＥによってサポートされる少なくとも１つのキャリア帯域幅組合せは、複数の可能なキャリア帯域幅組合せのサブセットであり得る。ＵＥによってサポートされる少なくとも１つのキャリア帯域幅組合せは、少なくとも１つの帯域または複数のキャリアのためにあらかじめ定義され得る、複数の利用可能なキャリア帯域幅組合せのサブセットであり得る。
【００５０】
[0054]  ＵＥによってサポートされる少なくとも１つのキャリア帯域幅組合せを示すシグナリングは、様々なタイプの情報を搬送し得る。１つの設計では、シグナリングは、複数のキャリアのための複数の利用可能なキャリア帯域幅組合せのための複数のビットのビットマップを備え得る。ビットマップの各ビットは、複数のキャリアのための異なるキャリア帯域幅組合せに関連し得る。代替として、ビットマップの各ビットは、複数のキャリアのための少なくとも１つのキャリア帯域幅組合せの異なるセットに関連し得る。ビットマップの各ビットは他の方法でも定義され得る。代替として、シグナリングは、各キャリア帯域幅組合せのインデックス、またはＵＥによってサポートされる少なくとも１つのキャリア帯域幅組合せの各セットのインデックスを備え得る。シグナリングは、複数のキャリアのためにあらかじめ定義され得る、キャリア帯域幅組合せの複数のセットのうちの少なくとも１つを示し得る。キャリア帯域幅組合せの各セットは、複数のキャリアのための少なくとも１つのキャリア帯域幅組合せを含み得る。
【００５１】
[0055]  別の態様では、シグナリングは、複数のキャリアのための、ＵＥによってサポートされる総帯域幅を示し得る。少なくとも１つのキャリア帯域幅組合せの各々は、総帯域幅以下の、複数のキャリアのためのアグリゲート帯域幅に関連し得る。また別の設計では、シグナリングは、複数のキャリアの各々のための、ＵＥによってサポートされる最大帯域幅を示し得る。代替として、シグナリングは、少なくとも１つの帯域の各々のための、ＵＥによってサポートされる最大帯域幅を示し得る。また別の設計では、シグナリングはＵＥのＵＥカテゴリーによって搬送され得る。
【００５２】
[0056]  複数のキャリアは、帯域間（inter-band）ＣＡでは少なくとも２つの帯域中にあり得、帯域内（intra-band）ＣＡでは単一の帯域中にあり得る。複数のキャリアはまた、帯域間ＣＡと帯域内ＣＡとの組合せでは、第１の帯域中の少なくとも２つのキャリアと第２の帯域中の少なくとも１つの追加のキャリアとを含み得る。
【００５３】
[0057]  図６に、本開示による、キャリア帯域幅組合せのシグナリングを受信するための例示的なプロセス６００を示す。プロセス６００は、（以下で説明するように）ｅＮＢ／基地局によって、または何らかの他のエンティティによって実行され得る。ｅＮＢは、キャリアアグリゲーションのための、ＵＥのために構成された複数のキャリアを識別する（ブロック６１２）。ｅＮＢは、ＵＥから、複数のキャリアのための、ＵＥによってサポートされる少なくとも１つのキャリア帯域幅組合せを示すシグナリングを受信する（ブロック６１４）。各キャリア帯域幅組合せは複数のキャリアの各々のための特定のキャリア帯域幅を含み得る。シグナリングは、ビットマップ、ＵＥによってサポートされる各キャリア帯域幅組合せのインデックス、ＵＥによってサポートされる少なくとも１つのキャリア帯域幅組合せの各セットのインデックス、キャリア帯域幅組合せの複数の可能なセットのうちのキャリア帯域幅組合せの１つのセットなどを備え得る。ｅＮＢはまた、ＵＥから、ＵＥによってサポートされる少なくとも１つの帯域を示す追加のシグナリングを受信し得る。ｅＮＢは、ＵＥによってサポートされる少なくとも１つのキャリア帯域幅組合せから選択されたキャリア帯域幅組合せに基づいて複数のキャリア上でＵＥと通信する（ブロック６１６）。
【００５４】
[0058]  図７に、図１の基地局／ｅＮＢのうちの１つであり得る基地局／ｅＮＢ１１０ｘおよび図１のＵＥのうちの１つであり得るＵＥ１２０ｘのブロック図を示す。基地局１１０ｘにおいて、モジュール７１０は、ＵＥ１２０ｘのキャリアアグリゲーション構成を判断し得、ＵＥ１２０ｘのために構成されたダウンリンクキャリアとアップリンクキャリアとを識別し得る。モジュール７１２は、ＵＥ１２０ｘによってサポートされる少なくとも１つのキャリア帯域幅組合せを示すシグナリングを受信し得る。モジュール７１６は、ＵＥ１２０ｘによってサポートされる少なくとも１つのキャリア帯域幅組合せの中から、ＵＥ１２０ｘのために使用する特定のキャリア帯域幅組合せを選択し得る。モジュール７１８は、これらのキャリアのために選択されたキャリア帯域幅に基づいて、ＵＥ１２０ｘのために構成されたキャリア上での通信をサポートし得る。モジュール７１８は、ＵＥ１２０ｘおよび他のＵＥへのダウンリンク送信のためのデータを処理し得、ＵＥ１２０ｘおよび他のＵＥからのアップリンク送信をも処理し得る。送信機７１４は、データおよび制御情報の送信を備える１つまたは複数のダウンリンク信号を生成し、送信し得る。受信機７２０は、ＵＥ１２０ｘおよび他のＵＥによって送信されたアップリンク信号を受信し、処理し得る。基地局１１０ｘ内の様々なモジュールは、上記で説明したように動作し得る。コントローラ／プロセッサ７２４は、基地局１１０ｘ内の様々なモジュールの動作を指示し得る。メモリ７２６は、基地局１１０ｘのためのデータとプログラムコードとを記憶し得る。スケジューラ７２２は、データ送信のためにＵＥをスケジュールし得る。
【００５５】
[0059]  ＵＥ１２０ｘにおいて、受信機７５０は、基地局１１０ｘおよび他の基地局によって送信されたダウンリンク信号を受信し、処理し得る。送信機７５６は、データおよび制御情報の送信を備える１つまたは複数のアップリンク信号を生成し、送信し得る。モジュール７５４は、ＵＥ１２０ｘのキャリアアグリゲーション構成を判断し得、ＵＥ１２０ｘのために構成されたダウンリンクキャリアとアップリンクキャリアとを識別し得る。モジュール７６０は、ＵＥ１２０ｘのために構成されたすべてのキャリアのための、ＵＥ１２０ｘによってサポートされる少なくとも１つのキャリア帯域幅組合せを判断し得る。モジュール７５８は、ＵＥ１２０ｘによってサポートされる少なくとも１つのキャリア帯域幅組合せを示すシグナリングを送り得る。モジュール７５２は、これらのキャリアのために選択されたキャリア帯域幅に基づいて、ＵＥ１２０ｘのために構成されたキャリア上での通信をサポートし得る。モジュール７５２は、ＵＥ１２０ｘに送られたダウンリンク送信を処理し得、ＵＥ１２０ｘによって送られたアップリンク送信をも処理し得る。ＵＥ１２０ｘ内の様々なモジュールは、上記で説明したように動作し得る。コントローラ／プロセッサ７６２は、ＵＥ１２０ｘ内の様々なモジュールの動作を指示し得る。メモリ７６４は、ＵＥ１２０ｘのためのデータとプログラムコードとを記憶し得る。
【００５６】
[0060]  図７のモジュールは、プロセッサ、電子デバイス、ハードウェアデバイス、電子的構成要素、論理回路、メモリ、ソフトウェアコード、ファームウェアなど、またはそれらの任意の組合せを備え得る。
【００５７】
[0061]  図８に、図１の基地局／ｅＮＢのうちの１つであり得る基地局／ｅＮＢ１１０ｙおよび図１のＵＥのうちの１つであり得るＵＥ１２０ｙの設計のブロック図を示す。基地局１１０ｙはＴ個のアンテナ８３４ａ〜８３４ｔを装備し得、ＵＥ１２０ｙはＲ個のアンテナ８５２ａ〜８５２ｒを装備し得、一般にＴ≧１およびＲ≧１である。
【００５８】
[0062]  基地局１１０ｙにおいて、送信プロセッサ８２０は、１つまたは複数のＵＥへのダウンリンクキャリア上での送信のためのデータをデータソース８１２から受信し、各ＵＥのために選択された１つまたは複数の変調およびコーディング方式に基づいて各ＵＥのためのデータを処理（たとえば、符号化および変調）し、すべてのＵＥのためのデータシンボルを与え得る。送信プロセッサ８２０はまた、（たとえば、許可、構成メッセージなどについての）制御情報を処理し、制御シンボルを与え得る。プロセッサ８２０はまた、基準信号のための基準シンボルを生成し得る。送信（ＴＸ）多入力多出力（ＭＩＭＯ）プロセッサ８３０は、（適用可能な場合は）データシンボル、制御シンボル、および／または基準シンボルをプリコードし得、Ｔ個の出力シンボルストリームをＴ個の変調器（ＭＯＤ）８３２ａ〜８３２ｔに与え得る。各変調器８３２は、（たとえば、ＯＦＤＭなどのために）それの出力シンボルストリームを処理して、出力サンプルストリームを取得し得る。各変調器８３２はさらに、それの出力サンプルストリームを調整（たとえば、アナログへの変換、増幅、フィルタ処理、およびアップコンバート）して、ダウンリンク信号を取得し得る。変調器８３２ａ〜８３２ｔからのＴ個のダウンリンク信号は、それぞれＴ個のアンテナ８３４ａ〜８３４ｔを介して送信され得る。
【００５９】
[0063]  ＵＥ１２０ｙにおいて、アンテナ８５２ａ〜８５２ｒは、基地局１１０ｙおよび／または他の基地局からダウンリンク信号を受信し得、受信信号をそれぞれ復調器（ＤＥＭＯＤ）８５４ａ〜８５４ｒに与え得る。各復調器８５４は、それの受信信号を調整（たとえば、フィルタ処理、増幅、ダウンコンバート、およびデジタル化）して、入力サンプルを取得し得る。各復調器８５４はさらに、（たとえば、ＯＦＤＭなどのために）入力サンプルを処理して、受信シンボルを取得し得る。ＭＩＭＯ検出器８５６は、すべてのＲ個の復調器８５４ａ〜８５４ｒから受信シンボルを取得し、受信シンボルに対してＭＩＭＯ検出を実行し、検出されたシンボルを与え得る。受信プロセッサ８５８は、検出されたシンボルを処理（たとえば、復調および復号）し、ＵＥ１２０ｙのための復号されたデータをデータシンク８６０に与え、復号された制御情報をコントローラ／プロセッサ８８０に与え得る。
【００６０】
[0064]  アップリンク上では、ＵＥ１２０ｙにおいて、送信プロセッサ８６４は、データソース８６２からデータを受信し、処理し、コントローラ／プロセッサ８８０から制御情報を受信し、処理し得る。制御情報は、ＵＥ１２０ｙのために構成されたＫ個のキャリアのための、ＵＥ１２０ｙによってサポートされる少なくとも１つのチャネル帯域幅組合せを示すシグナリングを備え得る。制御情報はまた、ＵＥ１２０ｙによってサポートされる少なくとも１つの帯域を示すシグナリングを備え得る。プロセッサ８６４はまた、１つまたは複数の基準信号のための基準シンボルを生成し得る。送信プロセッサ８６４からのシンボルは、適用可能な場合はＴＸ  ＭＩＭＯプロセッサ８６６によってプリコーディングされ、（たとえば、ＳＣ−ＦＤＭ、ＯＦＤＭなどのために）変調器８５４ａ〜８５４ｒによってさらに処理され、基地局１１０ｙに送信され得る。基地局１１０ｙにおいて、ＵＥ１２０ｙおよび他のＵＥからのアップリンク信号は、アンテナ８３４によって受信され、復調器８３２によって処理され、適用可能な場合はＭＩＭＯ検出器８３６によって検出され、ＵＥ１２０ｙおよび他のＵＥによって送られた、復号されたデータおよび制御情報を取得するために、受信プロセッサ８３８によってさらに処理され得る。プロセッサ８３８は、復号されたデータをデータシンク８３９に与え、復号された制御情報をコントローラ／プロセッサ８４０に与え得る。
【００６１】
[0065]  コントローラ／プロセッサ８４０および８８０は、それぞれ基地局１１０ｙおよびＵＥ１２０ｙにおける動作を指示し得る。基地局１１０ｙにおけるプロセッサ８４０および／または他のプロセッサおよびモジュールは、図６のプロセス６００、および／または本明細書で説明する技法のための他のプロセスを実行または指示し得る。ＵＥ１２０ｙにおけるプロセッサ８８０および／または他のプロセッサおよびモジュールは、図５のプロセス５００、および／または本明細書で説明する技法のための他のプロセスを実行または指示し得る。メモリ８４２および８８２は、それぞれ基地局１１０ｙおよびＵＥ１２０ｙのためのデータとプログラムコードとを記憶し得る。スケジューラ８４４は、ダウンリンクおよび／またはアップリンク上でのデータ送信のためにＵＥをスケジュールし得る。
【００６２】
[0066]  本明細書で説明したように、情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６３】
[0067]  また、本明細書の開示に関して説明した様々な例示的な論理ブロック、モジュール、回路、およびアルゴリズムステップは、電子ハードウェア、コンピュータソフトウェア、または両方の組合せとして実装され得る。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【００６４】
[0068]  本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６５】
[0069]  本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【００６６】
[0070]  １つまたは複数の例示的な設計では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。コンピュータ可読媒体はまた、接続を含み得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００６７】
[0071]  本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2015506136.tif 000006
【図２】
2015506136.tif 000007
【図３】
2015506136.tif 000008
【図４】
2015506136.tif 000009
【図５】
2015506136.tif 000010
【図６】
2015506136.tif 000011
【図７】
2015506136.tif 000012
【図８】
2015506136.tif 000013
【国際調査報告】
2015506136.tif 000014
2015506136.tif 000015
2015506136.tif 000016
2015506136.tif 000017
2015506136.tif 000018